(57)【要約】      （修正有）【課題】募金活動に於いて、支援参加企業の情報を消費者に認識せしめ、当該募金活動への企業の積極的な参加を促進することのできる商品に貼付けるシールを提供する。【解決手段】募金シール１に告知エリア２と広告エリア３とを設け、更に、該広告エリア３に企業名６，７，８を掲載する。また、該広告エリア３には夫々の企業６，７，８のインターネットホームページアドレス９，１０，１１をも掲載し、該募金シールを貼付した商品の消費者に当該企業６，７，８の情報を認知できるように構成する。そして、該募金シール１にＱＲコード９，１０，１１及びＩＣタグを設け、各種多様な情報を消費者に付与できるように構成する。【選択図】図１
2006234987.tif 000002
【特許請求の範囲】
【請求項１】
災害や基金等に募金したことを表示するために商品等に貼付するシールであって、該シールに募金元名や募金機関名或いは募金金額等を表示する告知エリアと、該募金活動に賛同した企業名等を掲載する広告エリアとを設けると共に、該広告エリアには広告会社名及び該広告会社のインターネットホームページアドレスを表示したことを特徴とする募金シール。
【請求項２】
災害や基金等に募金したことを表示するために商品等に貼付するシールであって、該シールに募金元名や募金機関名或いは募金金額等を表示する告知エリアと、該募金活動に賛同した企業名等を掲載する広告エリアとを設けると共に、該広告エリアには広告会社名及びＱＲコードを掲載し、該ＱＲコードより広告を掲載する企業等の情報を読み取れるように構成したことを特徴とする募金シール。
【請求項３】
災害や基金等に募金したことを表示するために商品等に貼付するシールであって、該シールに募金元名や募金機関名或いは募金金額等を表示する告知エリアと、該募金活動に賛同した企業名等を掲載する広告エリアとを設けると共に、該広告エリアには広告会社名を掲載し、且つ、該広告エリアにＩＣタグを設け、該ＩＣタグより広告を掲載する企業等の情報を読み取れるように構成したことを特徴とする募金シール。
【請求項４】
上記広告エリアに設けられるインターネットホームページアドレス及びＱＲコード並びにＩＣタグを適宜組み合わせて使用することを特徴とする請求項１、２又は３記載の募金シール。
【発明の詳細な説明】
【技術分野】
【０００１】
本発明は募金シールに関するものであり、特に、消費者が購入する商品等に貼付すると共に、参加企業等が該シールを購入することにより義援金として募金できる募金シールに関するものである。
【背景技術】
【０００２】
従来此種募金シールは、被災した地域の公的機関等により発行され、且つ、該災害に対する支援を呼びかける表示がされている。そして、支援企業等が該募金シールをインターネット等を介して購入することにより、該被災地へ義援金を募金することができので、支援者は被災地へ容易に募金することができる。
【０００３】
また、該募金シールを購入した参加企業は商品に該募金シールを貼付することにより、消費者に該災害に対する支援の賛同を呼びかけることができると共に、該事業主の社会貢献を該消費者に告知することができる。従って、企業のイメージの向上を図り、且つ、災害への関心の風化を防止することができる。
【０００４】
また、オンラインショッピングの支払いと同時に募金ができるネツトワークを利用した募金システムも知られている。(例えば特許文献１参照)
【特許文献１】特開２００２−１４９９１６公報
【発明の開示】
【発明が解決しようとする課題】
【０００５】
上述した従来の募金シールは、募金シールの購入者が商品等に貼付して災害に対する関心を消費者に喚起すると共に、該支援企業の社会貢献を該消費者にアピールできるように構成されている。しかし、該募金シールには、支援企業が表示されてはいないので、例えば商品を持ち帰った消費者が該シールより支援企業を判断することはできなかった。従って、支援企業が災害へ支援している社会貢献の告知が不足し、企業の募金参加への障害となっている。
【０００６】
そこで、該募金シールにて支援企業の社会貢献を消費者に対する確実なる告知を可能にして、募金の企業等の参加を促進するために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、災害や基金等に募金したことを表示するために商品等に貼付するシールであって、該シールに募金元名や募金機関名或いは募金金額等を表示する告知エリアと、該募金活動に賛同した企業名等を掲載する広告エリアとを設けると共に、該広告エリアには広告会社名及び該広告会社のインターネットホームページアドレスを表示したことを募金シールを提供する。
【０００８】
請求項２記載の発明は、災害や基金等に募金したことを表示するために商品等に貼付するシールであって、該シールに募金元名や募金機関名或いは募金金額等を表示する告知エリアと、該募金活動に賛同した企業名等を掲載する広告エリアとを設けると共に、該広告エリアには広告会社名及びＱＲコードを掲載し、該ＱＲコードより広告を掲載する企業等の情報を読み取れるようにした募金シールを提供する。
【０００９】
請求項３記載の発明は、災害や基金等に募金したことを表示するために商品等に貼付するシールであって、該シールに募金元名や募金機関名或いは募金金額等を表示する告知エリアと、該募金活動に賛同した企業名等を掲載する広告エリアとを設けると共に、該広告エリアには広告会社名を掲載し、且つ、該広告エリアにＩＣタグを設け、該ＩＣタグより広告を掲載する企業等の情報を読み取れるようにした募金シールを提供する。
【００１０】
請求項４記載の発明は、上記広告エリアに設けられるインターネットホームページアドレス及びＱＲコード並びにＩＣタグを、適宜組み合わせて使用する募金シールを提供するものである。
【発明の効果】
【００１１】
請求項１の記載の発明は、募金シールに告知エリアと広告エリアとを設け、該広告エリアに支援企業名、及び該支援企業のインターネットホームページアドレスを掲載している。従って、該募金シールを貼付した商品を購入した消費者は、該募金シールにて災害の関心が喚起されると共に、該広告企業の該支援に対する社会貢献を認識することができ、且つ、該広告企業の情報を該インターネットホープページアドレスより得ることができるので、該広告企業の活動を強くアピールすることができるという利点がある。従って、当該募金に対する企業の参加を促進することができる。
【００１２】
請求項２の記載の発明は、募金シールに告知エリアと広告エリアとを設け、該広告エリアに支援企業名、及びＱＲコードを掲載して該ＱＲコードより該支援企業の情報を得ることができるように構成している。従って、該募金シールを貼付した商品を購入した消費者は、該募金シールにて災害の関心が喚起されると共に、該広告企業の該支援に対する社会貢献を認識することができ、且つ、該広告企業の情報を該ＱＲコードより得ることができるので、該広告企業の活動を強くアピールすることができる。更に、当該ＱＲコードに広告企業のインターネットホームページアドレスを表示させることにより、消費者が容易に広告企業のホームページにアクセスできるという利点がある。
【００１３】
請求項３記載の発明は、募金シールに告知エリアと広告エリアとを設け、該広告エリアに支援企業名を掲載し、且つ、該募金シールにＩＣタグを装着している。従って、該募金シールを貼付した商品を購入した消費者は、該募金シールにて災害の関心が喚起されると共に、該広告企業の該支援に対する社会貢献を認識することができ、且つ、該広告企業の情報を該ＩＣタグより得ることができるので、該広告企業の活動を強くアピールすることができるという利点がある。従って、当該募金活動に企業の積極的参加を促進することができる。
【００１４】
請求項４記載の発明は、上記広告エリアに前記広告企業のインターネットホームページアドレス及びＱＲコード並びにＩＣタグを適宜組み合わせて使用するように構成している。例えば、該募金シールの広告エリアにＱＲコードとＩＣタグを設けることにより、該ＱＲコードを消費者が携帯電話で読み取って前記広告企業のホームページに該携帯電話にてアクセスすることができると共に、該ＩＣタグに募金シールを貼付した商品のデータを売り場等にて消費者に伝達することができるという利点がある。
【００１５】
従って、消費者は該募金シールにて災害への関心を喚起されると共に、該参加企業に対する情報及び商品情報をも容易に入手することができるので、該広告企業の活動を強くアピールし、且つ、消費者へ商品の信頼性の伝達等も為すことができる。
【発明を実施するための最良の形態】
【００１６】
募金シールに告知エリアと広告エリアとを設け、該告知エリアに主催者や募金元社名や募金機関名等を掲載し、更に、広告エリアに該募金に賛同した企業等の社名を掲載する。更に、該広告エリアには該広告企業のインターネットホームページアドレスを掲載する。又、該広告エリアにＱＲコードやＩＣタグを設け、該ＱＲコードやＩＣタグより該広告企業の情報や商品情報等を読み出しできるように構成した。
【実施例１】
【００１７】
以下、本発明の一実施例を図１乃至図３に従って説明する。図１は、本発明の募金シール１を示し、該募金シール１には告知エリア２及び広告エリア３が設けられ、該告知エリアには募金機関名４及び募金元名５が掲載されている。更に、該募金シール１の一枚当りの募金金額が表示されている。
【００１８】
また、事業者或いは賛同する企業等は該募金シール１を購入して予め義援金を募金機関に支払う。そして、該募金シール１を商品に貼付することにより、消費者の募金への関心を喚起することができる共に、該商品を購入した消費者は売上金額の内の表示金額を募金することとなるので、該募金への機会が増加すると共に、容易に募金への参加をすることができる。
【００１９】
一方、前記広告エリア２には、該募金に賛同した企業名６，７，８、及び、該広告企業６，７，８のインターネットホームページアドレス（ＵＲＬ）９，１０，１１が掲載されている。更に、該インターネットホームページアドレス９，１０，１１の上方にはＱＲコード（２次元バーコード）１２，１３，１４が設けられている。該ＱＲコード１２，１３，１４は前記インターネットホームページアドレス９，１０，１１のデータを読み取れるように形成されている。
【００２０】
即ち、例えばＱＲコード１２を携帯電話にて読み取ることにより、該携帯電話にインターネットホームページアドレス９が表示され、該インターネットホームページアドレス９をクリックすることにより、該携帯電話より容易に企業６のホームページにアクセスすることができる。そして、該ホームページに災害に対する支援活動内容や、ポリシー等を掲載して消費者に災害の関心を向上してもらうよう努力することや、企業としてのイメージを向上することが可能となる。
【００２１】
更に、該ＱＲコード１２，１３，１４にはファインダパターン１５，１５…が配設されている。該ファインダパターン１５，１５…は夫々のＱＲコード１２，１３，１４の４箇所の角部の内、３ヵ所に配設されて３６０度どの角度にて読み取りが行われても該ＱＲコード１２，１３，１４の情報を正確に読み出せるように形成されている。
【００２２】
また、該ＱＲコード１２，１３，１４には該ＱＲコード１２，１３，１４が一部破損してもデータを復元することも可能となっている。尚、該ＱＲコード１２，１３，１４は従来のバーコードより大容量のデータを表示できることは当然である。
【００２３】
一方、該ＱＲコード１２，１３，１４の裏面であって、且つ、該募金シール１の内部にはＩＣタグ１６，１７，１８が装着されている。夫々のＩＣタグ１６，１７，１８はコイル状のアンテナ１９とＩＣチップ２０とから構成され、該ＩＣタグ１６，１７，１８は図３に示す該リーダライター２３によりデータの読み書きができるように構成されている。該ＩＣタグ１６，１７，１８のリーダライター２１は本体２２にアンテナ部２３を装着して形成されており、該データの読み書きを表示部２４に表示できるように構成してある。
【００２４】
而して、該ＩＣタグ１６，１７，１８にデータを入力する際には、該リーダライター２１を操作して該リーダライター２１のアンテナ部２３より該データの送信信号を送信する。このときは、前記ＩＣタグ１６，１７，１８のアンテナ１９，１９…に電力が生じて該データをＩＣチップ２０，２０…へ書き込むことができる。また、該ＩＣタグ１６，１７，１８のデータを読み込むときには受信信号を該リーダライター２１のアンテナ部２３より送信することにより、前述と同様該ＩＣタグ１６，１７，１８のアンテナ１９，１９…に電力が生じてＩＣチップ２０，２０…のデータが該ＩＣタグ１６，１７，１８より送信され、そして、前記リーダライター２１のアンテナ部２３にて該送信データを受信することにより該リーダライター２１がＩＣタグ１６，１７，１８のデータを読み込むことができる。
【００２５】
従って、該ＩＣタグ１６，１７，１８に例えば、貼付された商品の物流情報を書き込むことにより、該商品がどこで生産されてどのようなルートで消費者の手に渡るかを該消費者が認識することができるので、多くの情報を該消費者に付与して該消費者に該商品の安全性の判断を促すことができる。
【００２６】
斯くして形成された募金シール１を賛同者や事業者が予め購入して商品に貼付することにより、消費者は該募金シール１の告知エリア２に掲載された各種事項により、該募金への関心を喚起される。そして、例えば該商品の購入金額の内、募金シール１の募金金額を該募金シール１の購入資金、即ち、災害等への義援金とすることにより、該消費者は該商品を購入することにより、該災害等への該募金の参加機会が身近となると共に、該募金を容易に為すことができる。
【００２７】
更に、該募金シール１の広告エリア３には該募金の参加企業名６，７，８を掲載しているので、該募金の賛同を促進して多くの企業の参加を促すことができる。また、該広告エリア３には、該広告企業６，７，８のインターネットホームページアドレス９，１０，１１を表示しているので、消費者は該広告企業６，７，８のホームページにアクセスして該広告企業６，７，８の情報を容易に得ることができる。更に、該ホームページに当該募金の内容や必要性或いは各企業６，７，８の社会貢献に対するポリシーを掲載することにより、更に消費者に対する募金の必要性を訴えられることでき、且つ、該企業としての社会貢献に対する消費者の認識を向上することができる。
【００２８】
一方、該募金シール１に掲載されたＱＲコード１２，１３，１４に前記インターネットホームページアドレス９，１０，１１のデータを表示するように形成することにより、該ＱＲコード１２，１３，１４を携帯電話にて読み込んで該携帯電話上に前記インターネットホームページアドレス９，１０，１１を表示した後、該インターネットホームページアドレス９，１０，１１をクリックすることにより、前記広告企業６，７，８のホームページに容易にアクセスすることができる。即ち、消費者は該インターネットホームページアドレス９，１０，１１をキー入力することなく極めて容易に該ホームページにアクセスすることができる。
【００２９】
更に、例えば、該募金シール１のＩＣタグ１２，１３，１４に、該募金シール１を貼付した商品の物流情報を書き込むことにより、該商品の生産元や流通ルートを該消費者が店舗等に備えられた該ＩＣタグ１２，１３，１４のリーダ装置に表示して確認することができる。従って、該商品の安全性等を消費者に確認させることができる。このときは、ＩＣタグ１２，１３，１４に固有のシリアル番号が付与されているので、重複して該ＩＣタグ１２，１３，１４を読み取ることを防止することができる。而して、各種様々なデータを消費者に付与する際、インターネットホームページアドレス９，１０，１１及びＱＲコード１２，１３，１４並びにＩＣタグ１６，１７，１８を適宜組み合わせて使用するを可とする。
【００３０】
尚、本発明は、本発明の精神を逸脱しない限り改変を為すことができ、そして、本発明が該改変されたものに及ぶことは当然である。
【図面の簡単な説明】
【００３１】
【図１】募金シールの平面図。
【図２】募金シールの表面を剥離した状態を示す募金シールの平面図。
【図３】募金シールのデータを読み書きする状態を示す解説図。
【符号の説明】
【００３２】
１      募金シール
２      告知エリア
３      広告エリア
４      募集機関名
５      募集元名
６，７，８      企業名
９，１０，１１      インターネットホームページアドレス
１２，１３，１４    ＱＲコード
１６，１７，１８    ＩＣタグ
【図１】
2006234987.tif 000003
【図２】
2006234987.tif 000004
【図３】
2006234987.tif 000005